(57)【要約】【課題】目地の巾のバラツキに対応でき、シーリング材が外壁材から剥離するのを未然に防止しうるシーリングバックアップ材を提供する。【解決手段】柱部１１の上端部に第一リップ１２を有し、その下位に柱部１１から左右に延びる第二リップ１３を有し、建物の外壁材２間に形成される目地１に、第二リップ１３側から挿入され、第二リップ１３を外壁材２側面に弾接させ、第一リップ１２側に充填されたシーリング材３を第一リップ１２で支持する弾性材製のもので、第一リップ１２を、対応最小目地巾Ｓと略等しい横幅に設定し、第二リップ１３を、第一リップ１２より幅広の横幅に設定し、かつ、対応最小目地巾Ｓの目地１に挿入される際には、その先端部が第一リップ１２の真下に潜り込めるようにするとともに、最小目地巾Ｓより広い目地１に挿入される際には、目地巾が広くなるにつれて、先端部が第一リップ１２よりも下方に位置するようにした。【選択図】        図３
2006233553.tif 000002
【特許請求の範囲】
【請求項１】
柱部の上端部に第一リップを有するとともに、その下位に前記柱部から左右に延びる、少なくとも第二リップを有し、建物の外壁材間に形成される目地に、前記第二リップ側から挿入され、第二リップを前記外壁材側面に弾接させ、そして前記第一リップ側に充填されたシーリング材をその第一リップで支持する弾性材製のシーリングバックアップ材であって、
前記第一リップを、対応最小目地巾と略等しい横幅に設定し、
前記第二リップを、前記第一リップより幅広の横幅に設定し、かつ、前記対応最小目地巾の目地に挿入される際には、その先端部付近が前記第一リップの真下に潜り込めるようにするとともに、前記対応最小目地巾より広い目地に挿入される際には目地巾が広くなるにつれて、前記先端部が前記第一リップよりも下方に位置するようにしたことを特徴とするシーリングバックアップ材。
【請求項２】
前記第二リップの先端部付近に、前記対応最小目地巾より広い目地に挿入される際に、前記シーリング材を受けるための受け部を形成したことを特徴とする請求項１に記載のシーリングバックアップ材。
【発明の詳細な説明】
【技術分野】
【０００１】
本発明は、建物の外壁材間に形成される目地に挿入され、充填されたシーリング材を支持するシーリングバックアップ材に関するものである。
【背景技術】
【０００２】
図７乃至図９に示すように、建物の外壁材２間に形成される目地１にはシーリング材３が充填されるが、そのシーリング材３の裏面（建物の外側となる表面とは逆側）には、当該シーリング材３を支持するために弾性材製のシーリングバックアップ材２０が挿入される。
【０００３】
このシーリングバックアップ材２０は、シーリング材３が経年変化によって劣化してシール機能を失った際に、それを補助するための二次止水機能を発揮するように、通常、図７に示すように、第一リップ２１の直下に第二リップ２２および第三リップ２３を設けている。そして、第二リップ２２を第一リップ２１より長く設定し、目地１の巾のバラツキに対応できるようにしている。こうしたシーリングバックアップ材２０は、例えば、特許文献１や特許文献２に記載されている。
【特許文献１】実公平８−９２８９号公報
【特許文献２】特公平８−６４３６号公報
【発明の開示】
【発明が解決しようとする課題】
【０００４】
しかしながら、特許文献１に記載したようなシーリングバックアップ材２０は、図９に示すように、目地１の巾にバラツキが発生して規定の目地１の巾（規定目地巾Ｗ）より狭くなった場合、シーリング材３の充填深さｄを規定の深さ（規定シール深さＤ）に設定できなくなり、シーリング材３が外壁材２の側面から剥離してしまうといった問題が発生しやすくなる。
【０００５】
すなわち、このシーリングバックアップ材２０は、図８に示すように、規定目地巾Ｗを有する目地１に挿入された状態で、第二リップ２２の両先端部が第一リップ２１の両側に位置するように設定されている。従って、目地１の巾が規定目地巾Ｗより狭くなると、図９に示すように、第二リップ２２が大きく弾性変形して、その両先端部が第一リップ２１の両側から上方（建物外側）に突出して凹面Ｎを形成する。その結果、当該部分におけるシーリング材３の充填深さｄが規定シーリング深さＤより浅くなる。そして、外壁材の伸縮や振動などによって目地１が動くと、その負荷は、シーリング材３の充填深さｄが浅い部分に集中するため、その部分が外壁材２から剥離してしまう。
【０００６】
また、特許文献２に記載のシーリングバックアップ材は、リップが肉厚であるため、目地１の巾が規定目地巾Ｗより狭い場合には十分に対応することができない。
【０００７】
さらに、図１０および図１１に示すように、発泡ポリエチレン製で断面矩形上のシーリングバックアップ材３０が存在するが、これには複数のリップが設けられていないので、目地１の巾のバラツキに対応することができない。
【０００８】
そこで、本発明の目的とするところは、目地の巾のバラツキに対応することができ、かつ、シーリング材が外壁材から剥離するのを未然に防止することのできるシーリングバックアップ材を提供することにある。
【課題を解決するための手段】
【０００９】
上記の目的を達成するために、本発明の請求項１に記載のシーリングバックアップ材（１０）は、柱部（１１）の上端部に第一リップ（１２）を有するとともに、その下位に前記柱部（１１）から左右に延びる、少なくとも第二リップ（１３）を有し、建物の外壁材（２）間に形成される目地（１）に、前記第二リップ（１３）側から挿入され、第二リップ（１３）を前記外壁材（２）側面に弾接させ、そして前記第一リップ（１２）側に充填されたシーリング材（３）をその第一リップ（１２）で支持する弾性材製のシーリングバックアップ材であって、
前記第一リップ（１２）を、対応最小目地巾（Ｓ）と略等しい横幅に設定し、前記第二リップ（１３）を、前記第一リップ（１２）より幅広の横幅に設定し、かつ、前記対応最小目地巾（Ｓ）の目地（１）に挿入される際には、その先端部付近が前記第一リップ（１２）の真下に潜り込めるようにするとともに、前記対応最小目地巾（Ｓ）より広い目地（１）に挿入される際には、目地巾が広くなるにつれて、前記先端部が前記第一リップ（１２）よりも下方に位置するようにしたことを特徴とする。
【００１０】
また、請求項２に記載のシーリングバックアップ材（１０）は、前記第二リップ（１３）の先端部付近に、前記対応最小目地巾（Ｓ）より広い目地（１）に挿入される際に、前記シーリング材（３）を受けるための受け部（１３ｂ）を形成したことを特徴とする。
【００１１】
なお、カッコ内の記号は、図面および後述する発明の実施の形態に記載された対応要素または対応事項を示す。
【発明の効果】
【００１２】
本発明の請求項１に記載のシーリングバックアップ材によれば、第一リップを、対応最小目地巾、すなわち、シーリングバックアップ材として挿入可能でしかもシール材として十分機能しうる最小の目地巾、と略等しい横幅に設定し、第一リップより下位に設けられた第二リップを、第一リップより幅広の横幅に設定し、かつ、対応最小目地巾の目地に挿入される際には、その先端部付近が第一リップの真下に潜り込めるようにするとともに、対応最小目地巾より広い目地に挿入される際には、目地巾が広くなるにつれて、先端部が第一リップよりも下方に位置するようにしたので、シーリング材が外壁材から剥離するのを未然に防止することができる。
【００１３】
すなわち、例えば図２に示すように、目地の巾が対応最小目地巾よりも広い標準の目地巾（規定目地巾）である場合は、シーリングバックアップ材は所定の位置に挿入されるので規定シール深さを確保することができる。この状態では、第一リップは対応最小目地巾とほぼ等しい横幅に設定されているので、弾性変形することなくほぼ水平面を形成し、従って、シーリング材の充填深さは規定シール深さとなり、充填深さの浅い部分は形成されない。これにより、外壁材の伸縮や振動等で目地が動いても、その負荷はシーリング材の一部に集中することがなく、シーリング材が外壁材から剥離することもない。
【００１４】
また、例えば図３に示すように、目地の巾が対応最小目地巾の場合、第二リップはその先端部付近が第一リップの両側から上方に突出することなく、第一リップの真下に潜り込むような横幅に設定されているので、第一リップによって水平面が形成される。従って、シーリング材の充填深さの浅い箇所は形成されず、外壁材の伸縮や振動等で目地が動いても、その負荷は集中することなく、シーリング材が外壁材から剥離することもない。
【００１５】
さらに、例えば図４に示すように、目地の巾が規定目地巾より広い場合は、第二リップは第一リップの下方に位置する（図２の場合よりも図４の場合の方が第二リップは第一リップのより下方に位置している）ので、シーリング材は第二リップ側、すなわち目地の奥側に入り込む。従って、この部分におけるシーリング材の充填深さは、規定シール深さより深くなるので、目地が動いた際の負荷はこの部分に集中しない。その結果、この部分においてシーリング材が外壁から剥離することもない。
【００１６】
また、請求項２に記載の発明によれば、請求項１に記載の発明の作用効果に加えて、第二リップの先端部付近に、対応最小目地巾より広い目地に挿入された際に、シーリング材を受けるための受け部を形成したので、その受け部でシーリング材を効果的に受けることができ、シーリングバックアップ材としての機能に優れる。
【発明を実施するための最良の形態】
【００１７】
図１乃至図４を参照して、本発明の実施形態に係るシーリングバックアップ材１０について説明する。図１はシーリングバックアップ材１０を示す斜視図である。また、図２は、図１に示すシーリングバックアップ材１０を、規定目地巾Ｗを有する目地に挿入した状態、図３は、対応最小目地巾Ｓの狭い目地に挿入した状態、図４は、規定目地巾Ｗより広い目地に挿入した状態を示す断面図である。従来例で示したものと同一部分には同一符号を付した。
【００１８】
このシーリングバックアップ材１０は、建物の外壁材２間に形成される目地１に、シーリング材３を支持するために挿入される弾性材製であり、中央に位置する柱部１１の上端部に上面が平担の第一リップ１２を有し、その下位に柱部１１から左右に延びる第二リップ１３および当該第二リップ１３より僅かに幅広で同じく柱部１１から左右に延びる第三リップ１４を有する。この第三リップ１４によって二次止水機能をさらに向上させることができる。第二リップ１３の略中央部と第三リップ１４の略中央部との間には、当該第二リップ１３と第三リップ１４に連動性を持たせるための連結部１５を架設している。これにより、挿入作業を始めとする取り扱いを容易にすることができる。建物の外壁材２間に形成される目地１に対して、シーリングバックアップ材１０はその第二リップ１３側から挿入され、第二リップ１３を外壁材２の側面に弾接させ、そしてシーリングバックアップ材１０の挿入後、第一リップ１２側に充填されたシーリング材３をその第一リップ１２で受けることによりシーリング材３を支持するものである。
【００１９】
そして、第一リップ１２を、対応最小目地巾Ｓ、すなわち、シーリングバックアップ材として挿入可能な目地巾、と略等しい横幅に設定している。また、第二リップ１３を、第一リップ１２より幅広の横幅に設定し、かつ、対応最小目地巾Ｓの目地１に挿入される際には、その先端部が第一リップ１２の真下に潜り込める（本実施形態では完全に潜り込むようにした）ようにするとともに、対応最小目地巾Ｓより広い目地に挿入される際には、目地巾が広くなるにつれて、第二リップ１３の先端部が第一リップ１２よりも下方に位置するようにしている。なお、第二リップ１３の先端部には、その本体部１３ａより幅広の受け部１３ｂを形成している。また、対応最小目地巾Ｓの目地１にシーリングバックアップ材１０を挿入する際には、第二リップ１３の先端部に形成した受け部１３ｂを、第一リップ１２の真下に当接させて第一リップ１２を支持することで、より一層の安定化を図っている。
【００２０】
本実施形態に係るシーリングバックアップ材１０によれば、シーリング材３が外壁材２から剥離するのを未然に防止することができる。すなわち、図２に示すように、目地の巾が規定目地巾（標準の目地巾）Ｗである場合は、シーリングバックアップ材１０は所定の位置に挿入されるので規定シール深さＤを確保することができる。このとき、第一リップ１２は規定目地巾Ｗよりも狭い、対応最小目地巾Ｓとほぼ等しい横幅に設定されているので、弾性変形することなくほぼ水平面Ｌを形成する。従って、シーリング材３の充填深さｄは規定シール深さＤとなり、充填深さｄの浅い部分は形成されない。その結果、外壁材の伸縮や振動等で目地が動いても、その負荷はシーリング材３の一部に集中しないので、シーリング材３が外壁材２から剥離するのを防止することができる。
【００２１】
また、図３に示すように、目地の巾が規定目地巾Ｗより狭い、対応最小目地巾Ｓの場合、第二リップ１３はその先端部の受け部１３ｂが第一リップ１２の両側から突出することなく、当該第一リップ１２の真下に完全に潜り込む。従って、当該第一リップ１２によって水平面Ｌが形成されて、シーリング材３の充填深さｄの浅い箇所は形成されず、目地が動いた際の負荷は集中することなく、シーリング材３が外壁材２から剥離することがない。
【００２２】
さらに、図４に示すように、目地の巾が規定目地巾Ｗより広い場合は、第二リップ１３は第一リップ１２の下方に位置するので、シーリング材３は、第二リップ１３側、すなわち目地奥側に入り込む。従って、この部分におけるシーリング材３の充填深さｄは、規定シール深さＤより深くなり、目地が動いた際の負荷はこの部分に集中しない。その結果、この部分においてシーリング材３が外壁から剥離することもない。
【００２３】
なお、このシーリングバックアップ材１０は、受け部１３ｂを形成しているので、当該受け部１３ｂによってシーリング材３をより効果的に受けることができ、シーリングバックアップ材１０としての機能をより効果的に発揮する。
【００２４】
さらに、このシーリングバックアップ材１０は、柱部１１をショアＤ硬度３５度〜５５度の硬質材で形成し、第一リップ１２、第二リップ１３および第三リップ１４をデュロＡ硬度６０度〜７０度の軟質材で形成している。これにより、目地１への挿入作業性を高めると共に、良好な止水機能を確保している。なお、シーリングバックアップ材１０の成形材料は特に限定されないが、熱可塑性オレフィン（ＴＰＯ）樹脂が好ましい。
【００２５】
なお、本発明の実施形態では、第一リップ１２の上面を平担して、シーリング材３を広い面積で安定して支持するようにしたが、図５に示すように、第一リップ１２１を上側に膨出湾曲した山形にすることもできる。
また、第二リップ１３の形状も特に限定されることなく、種々設定することができる。例えば、図６（ａ）に示すように、第二リップ１３１の受け部１３１ｂの形状を片側（この場合、柱部１１側）に突出するようにしてもよく、また、図６（ｂ）に示すように、受け部１３１ｃの形状を両側に突出するようにしてもよい。また、図６（ｃ）に示すように、第二リップ１３１の先端部付近の形状を上方向と横方向に延びる二又部１３１ｄ，１３１ｅとし、対応最小目地巾Ｓの目地に挿入される際には、横方向に延びる部位１３１ｅを第一リップ１２の真下に当接させ、同時に上方向に延びる部位１３１ｄを第一リップ１２と同じ高さにし、第一リップ１２の側面に当接させるようにしてもよい。また、図６（ｄ）に示すように、上方向に延びる部位１３１ｆの先端を図６（ｃ）の場合（１３１ｄ）と比較して、薄くするようにしてもよい。さらには、図６（ｅ）に示すように、第二リップ１３２の本体１３２ａの幅を受け部１３２ｂ側に向かって幅広になるようにしてもよい。また、図６（ｆ）に示すように、上方向に延びる部位１３１ｇを受け部１３１ｂの外側ではなく、柱１１側となる内側に設け、対応最小目地巾Ｓの目地に挿入される際には、上方向に延びる部位１３１ｇを第一リップ１２の真下に入り込ませ（このとき第一リップ１２に当接させるようにしてもよい）、シーリング材３を漏れを防止するようにしてもよい。また、上方向に延びる部位１３１ｇは、図６（ｆ）に示すように、柱１１と略平行にすることが好ましいが、上方向に延びる部位１３１ｇを柱１１側又は柱１１とは逆側に傾けるようにしてもよい（図示を省略）。
【図面の簡単な説明】
【００２６】
【図１】本発明の実施形態に係るシーリングバックアップ材を示す斜視図である。
【図２】図１に示すシーリングバックアップ材を、規定目地巾を有する目地に挿入した状態を示す断面図である。
【図３】図１に示すシーリングバックアップ材を、対応最小目地巾の狭い目地に挿入した状態を示す断面図である。
【図４】図１に示すシーリングバックアップ材を、規定目地巾より広い目地に挿入した状態を示す断面図である。
【図５】第一リップ形状の変形例を示す要部断面図である。
【図６】第二リップ形状の変形例を示す要部断面図である。
【図７】従来例に係るシーリングバックアップ材を示す斜視図である。
【図８】図７に示すシーリングバックアップ材を、規定目地巾を有する目地に挿入した状態を示す断面図である。
【図９】図７に示すシーリングバックアップ材を、規定目地巾より狭い目地に挿入した状態を示す断面図である。
【図１０】他の従来に係るシーリングバックアップ材を示す斜視図である。
【図１１】図１０に示すシーリングバックアップ材を、規定目地巾を有する目地に挿入した状態を示す断面図である。
【符号の説明】
【００２７】
１      目地
２      外壁材
３      シーリング材
１０      シーリングバックアップ材
１１      柱部
１２      第一リップ
１３      第二リップ
１３ａ    本体部
１３ｂ    受け部
１４      第三リップ
１５      連結部
２０      シーリングバックアップ材
２１      第一リップ
２２      第二リップ
２３      第三リップ
３０      シーリングバックアップ材
１２１      第一リップ
１３１      第二リップ
１３１ａ    本体部
１３１ｂ    受け部
１３１ｃ    受け部
１３１ｄ    上方向に延びる部位
１３１ｅ    横方向に延びる部位（受け部）
１３１ｆ    上方向に延びる部位
１３１ｇ    上方向に延びる部位
１３２      第二リップ
１３２ａ    本体部
１３２ｂ    受け部
Ｄ      規定シール深さ
ｄ      充填深さ
Ｌ      水平面
Ｍ      凸面
Ｎ      凹面
Ｓ      対応最小目地巾
Ｗ      規定目地巾
【図１】
2006233553.tif 000003
【図２】
2006233553.tif 000004
【図３】
2006233553.tif 000005
【図４】
2006233553.tif 000006
【図５】
2006233553.tif 000007
【図６】
2006233553.tif 000008
【図７】
2006233553.tif 000009
【図８】
2006233553.tif 000010
【図９】
2006233553.tif 000011
【図１０】
2006233553.tif 000012
【図１１】
2006233553.tif 000013